(57)【特許請求の範囲】
【請求項１】
記録領域を覆う反射膜がそれぞれ形成された１対の片面ディスクを、前記反射膜側に紫外線硬化型接着剤を用いて貼り合わせた貼り合わせディスクにおいて、
前記１対の片面ディスクの内、第１片面ディスクの反射膜の外側に位置する外周マスキングエリアの内周を第２片面ディスクの外周マスキングエリアの内周より径方向外側に形成したことを特徴とする貼り合わせディスク。
【請求項２】
記録領域を覆う反射膜がそれぞれ形成された一対の片面ディスクを、前記反射膜側に紫外線硬化型接着剤を用いて貼り合わせた貼り合わせディスクにおいて、
前記１対の片面ディスクの内、第１片面ディスクの記録領域外周を第２片面ディスクの記録領域外周より径方向内側に形成したことを特徴とする貼り合わせディスク。
【請求項３】
記録領域を覆う反射膜がそれぞれ形成された一対の片面ディスクを、前記反射膜側に紫外線硬化型接着剤を用いて貼り合わせた貼り合わせディスクにおいて、
前記１対の片面ディスクの内、第１片面ディスクの反射膜の外側に位置する外周マスキングエリアの内周を第２片面ディスクの外周マスキングエリアの内周より径方向外側に形成し、且つ、第１片面ディスクの記録領域外周を第２片面ディスクの記録領域外周より径方向内側に形成したことを特徴とする貼り合わせディスク。
【請求項４】
記録領域を覆う反射膜がそれぞれ形成された一対の片面ディスクを、前記反射膜側に紫外線硬化型接着剤を用いて貼り合わせる貼り合わせディスクの製造方法において、
前記１対の片面ディスクの内、第１片面ディスクの反射膜の外側に位置する外周マスキングエリアの内周を第２片面ディスクの外周マスキングエリアの内周より径方向外側に形成するとともに、第１片面ディスクの記録領域外周を第２片面ディスクの記録領域外周より径方向内側に形成し、その後に前記第１片面ディスク側から紫外線を照射して貼り合わせることを特徴とする貼り合わせディスクの製造方法。
【請求項５】
記録領域を覆う反射膜が形成された片面ディスクと他の記録領域を覆う半透明膜が形成された片面ディスクとを、前記１対の膜を対向させて紫外線硬化型接着剤を介して貼り合わせた貼り合わせディスクにおいて、
前記１対の膜の内、一方の片面ディスクの膜外側に位置する外周マスキングエリアの内周を他方の膜外側に位置する外周マスキングエリアの内周に対して径方向外側に形成したことを特徴とする貼り合わせディスク。
【請求項６】
記録領域を覆う反射膜が形成された片面ディスクと他の記録領域を覆う半透明膜が形成された片面ディスクとを、前記１対の膜を対向させて紫外線硬化型接着剤を介して貼り合わせた貼り合わせディスクにおいて、
前記１対の片面ディスクの内、一方の片面ディスクの記録領域外周を前記他方の記録領域外周に対して径方向内側に形成したことを特徴とする貼り合わせディスク。
【請求項７】
記録領域を覆う反射膜が形成された片面ディスクと他の記録領域を覆う半透明膜が形成された片面ディスクとを、前記１対の膜を対向させて紫外線硬化型接着剤を介して貼り合わせた貼り合わせディスクにおいて、
前記１対の膜の内、一方の片面ディスクの膜外側に位置する外周マスキングエリアの内周を他方の膜外側に位置する外周マスキングエリアの内周に対して径方向外側に形成し、且つ、前記一方の片面ディスクの記録領域外周を前記他方の記録領域外周に対して径方向内側に形成したことを特徴とする貼り合わせディスク。
【請求項８】
記録領域を覆う反射膜が形成された片面ディスクと他の記録領域を覆う半透明膜とを、前記反射膜と半透明膜とを対向させて紫外線硬化型接着剤を介して貼り合わせる貼り合わせディスクの製造方法において、
前記１対の膜の内、一方の片面ディスクの膜外側に位置する外周マスキングエリアの内周を他方の膜外側に位置する外周マスキングエリアの内周に対して径方向外側に形成するとともに、前記一方の片面ディスクの記録領域外周を前記他方の記録領域外周に対して径方向内側に形成し、前記一方のディスク側から紫外線を照射して貼り合わせることを特徴とする貼り合わせディスクの製造方法。
【請求項９】
記録領域を覆う反射膜がそれぞれ形成された１対の片面ディスクを、前記反射膜側に紫外線硬化型接着剤を用いて貼り合わせた貼り合わせディスクにおいて、
前記１対の片面ディスクの内、第１片面ディスクの反射膜の内側に位置する内周マスキングエリアの外周を第２片面ディスクの内周マスキングエリアの外周より径方向内側に形成したことを特徴とする貼り合わせディスク。
【請求項１０】
記録領域を覆う反射膜がそれぞれ形成された一対の片面ディスクを、前記反射膜側に紫外線硬化型接着剤を用いて貼り合わせた貼り合わせディスクにおいて、
前記１対の片面ディスクの内、第１片面ディスクの記録領域内周を第２片面ディスクの記録領域内周より径方向外側に形成したことを特徴とする貼り合わせディスク。
【請求項１１】
記録領域を覆う反射膜がそれぞれ形成された一対の片面ディスクを、前記反射膜側に紫外線硬化型接着剤を用いて貼り合わせた貼り合わせディスクにおいて、
前記１対の片面ディスクの内、第１片面ディスクの反射膜の内側に位置する内周マスキングエリアの外周を第２片面ディスクの内周マスキングエリアの外周より径方向内側に形成し、且つ、第１片面ディスクの記録領域内周を第２片面ディスクの記録領域内周より径方向外側に形成したことを特徴とする貼り合わせディスク。
【請求項１２】
記録領域を覆う反射膜がそれぞれ形成された一対の片面ディスクを、前記反射膜側に紫外線硬化型接着剤を用いて貼り合わせる貼り合わせディスクの製造方法において、
前記１対の片面ディスクの内、第１片面ディスクの反射膜の内側に位置する内周マスキングエリアの外周を第２片面ディスクの内周マスキングエリアの外周より径方向内側に形成するとともに、第１片面ディスクの記録領域内周を第２片面ディスクの記録領域内周より径方向外側に形成し、その後に前記第１片面ディスク側から紫外線を照射して貼り合わせることを特徴とする貼り合わせディスクの製造方法。
【請求項１３】
記録領域を覆う反射膜が形成された片面ディスクと他の記録領域を覆う半透明膜が形成された片面ディスクとを、前記１対の膜を対向させて紫外線硬化型接着剤を介して貼り合わせた貼り合わせディスクにおいて、
前記１対の膜の内、一方の片面ディスクの膜内側に位置する内周マスキングエリアの外周を他方の膜内側に位置する内周マスキングエリアの外周に対して径方向内側に形成したことを特徴とする貼り合わせディスク。
【請求項１４】
記録領域を覆う反射膜が形成された片面ディスクと他の記録領域を覆う半透明膜が形成された片面ディスクとを、前記１対の膜を対向させて紫外線硬化型接着剤を介して貼り合わせた貼り合わせディスクにおいて、
前記１対の片面ディスクの内、一方の片面ディスクの記録領域内周を前記他方の記録領域内周に対して径方向外側に形成したことを特徴とする貼り合わせディスク。
【請求項１５】
記録領域を覆う反射膜が形成された片面ディスクと他の記録領域を覆う半透明膜が形成された片面ディスクとを、前記１対の膜を対向させて紫外線硬化型接着剤を介して貼り合わせた貼り合わせディスクにおいて、
前記１対の膜の内、一方の片面ディスクの膜内側に位置する内周マスキングエリアの外周を他方の膜内側に位置する内周マスキングエリアの外周に対して径方向内側に形成し、且つ、前記一方の片面ディスクの記録領域内周を前記他方の記録領域内周に対して径方向外側に形成したことを特徴とする貼り合わせディスク。
【請求項１６】
記録領域を覆う反射膜が形成された片面ディスクと他の記録領域を覆う半透明膜とを、前記反射膜と半透明膜とを対向させて紫外線硬化型接着剤を介して貼り合わせる貼り合わせディスクの製造方法において、
前記１対の膜の内、一方の片面ディスクの膜内側に位置する内周マスキングエリアの外周を他方の膜内側に位置する内周マスキングエリアの外周に対して径方向内側に形成するとともに、前記一方の片面ディスクの記録領域内周を前記他方の記録領域内周に対して径方向外側に形成し、その後に前記一方のディスク側から紫外線を照射して貼り合わせることを特徴とする貼り合わせディスクの製造方法。
【請求項１７】
記録領域を覆う反射膜がそれぞれ形成された１対の片面ディスクを、前記反射膜側に紫外線硬化型接着剤を用いて貼り合わせた貼り合わせディスクにおいて、
前記１対の片面ディスクの内、第１片面ディスクの反射膜の外側に位置する外周マスキングエリアの内周を第２片面ディスクの外周マスキングエリアの内周より径方向外側に形成し、且つ、第１片面ディスクの反射膜の内側に位置する内周マスキングエリアの外周を第２片面ディスクの内周マスキングエリアの外周より径方向内側に形成したことを特徴とする貼り合わせディスク。
【請求項１８】
記録領域を覆う反射膜がそれぞれ形成された一対の片面ディスクを、前記反射膜側に紫外線硬化型接着剤を用いて貼り合わせた貼り合わせディスクにおいて、
前記１対の片面ディスクの内、第１片面ディスクの記録領域外周を第２片面ディスクの記録領域外周より径方向内側に形成し、且つ、第１片面ディスクの記録領域内周を第２片面ディスクの記録領域内周より径方向外側に形成したことを特徴とする貼り合わせディスク。
【請求項１９】
記録領域を覆う反射膜がそれぞれ形成された一対の片面ディスクを、前記反射膜側に紫外線硬化型接着剤を用いて貼り合わせた貼り合わせディスクにおいて、
前記１対の片面ディスクの内、第１片面ディスクの反射膜の外側に位置する外周マスキングエリアの内周を第２片面ディスクの外周マスキングエリアの内周より径方向外側に形成し、且つ、第１片面ディスクの記録領域外周を第２片面ディスクの記録領域外周より径方向内側に形成するとともに、前記１対の片面ディスクの内、第１片面ディスクの反射膜の内側に位置する内周マスキングエリアの外周を第２片面ディスクの内周マスキングエリアの外周より径方向内側に形成し、且つ、第１片面ディスクの記録領域内周を第２片面ディスクの記録領域内周より径方向外側に形成したことを特徴とする貼り合わせディスク。
【請求項２０】
記録領域を覆う反射膜がそれぞれ形成された一対の片面ディスクを、前記反射膜側に紫外線硬化型接着剤を用いて貼り合わせる貼り合わせディスクの製造方法において、
前記１対の片面ディスクの内、第１片面ディスクの反射膜の外側に位置する外周マスキングエリアの内周を第２片面ディスクの外周マスキングエリアの内周より径方向外側に形成し、且つ、第１片面ディスクの記録領域外周を第２片面ディスクの記録領域外周より径方向内側に形成するとともに、前記１対の片面ディスクの内、第１片面ディスクの反射膜の内側に位置する内周マスキングエリアの外周を第２片面ディスクの内周マスキングエリアの外周より径方向内側に形成し、且つ、第１片面ディスクの記録領域内周を第２片面ディスクの記録領域内周より径方向外側に形成し、その後に前記第１片面ディスク側から紫外線を照射して貼り合わせることを特徴とする貼り合わせディスクの製造方法。
【請求項２１】
記録領域を覆う反射膜が形成された片面ディスクと他の記録領域を覆う半透明膜が形成された片面ディスクとを、前記１対の膜を対向させて紫外線硬化型接着剤を介して貼り合わせた貼り合わせディスクにおいて、
前記１対の膜の内、一方の片面ディスクの膜外側に位置する外周マスキングエリアの内周を他方の膜外側に位置する外周マスキングエリアの内周に対して径方向外側に形成し、且つ、一方の片面ディスクの膜内側に位置する内周マスキングエリアの外周を他方の膜内側に位置する内周マスキングエリアの外周に対して径方向内側に形成したことを特徴とする貼り合わせディスク。
【請求項２２】
記録領域を覆う反射膜が形成された片面ディスクと他の記録領域を覆う半透明膜が形成された片面ディスクとを、前記１対の膜を対向させて紫外線硬化型接着剤を介して貼り合わせた貼り合わせディスクにおいて、
前記１対の片面ディスクの内、一方の片面ディスクの記録領域外周を前記他方の記録領域外周に対して径方向内側に形成し、且つ、前記一方の片面ディスクの記録領域内周を前記他方の記録領域内周に対して径方向外側に形成したことを特徴とする貼り合わせディスク。
【請求項２３】
記録領域を覆う反射膜が形成された片面ディスクと他の記録領域を覆う半透明膜が形成された片面ディスクとを、前記１対の膜を対向させて紫外線硬化型接着剤を介して貼り合わせた貼り合わせディスクにおいて、
前記１対の膜の内、一方の片面ディスクの膜外側に位置する外周マスキングエリアの内周を他方の膜外側に位置する外周マスキングエリアの内周に対して径方向外側に形成し、且つ、前記一方の片面ディスクの記録領域外周を前記他方の記録領域外周に対して径方向内側に形成するとともに、一方の片面ディスクの膜内側に位置する内周マスキングエリアの外周を他方の膜内側に位置する内周マスキングエリアの外周に対して径方向内側に形成し、且つ、前記一方の片面ディスクの記録領域内周を前記他方の記録領域内周に対して径方向外側に形成したことを特徴とする貼り合わせディスク。
【請求項２４】
記録領域を覆う反射膜が形成された片面ディスクと他の記録領域を覆う半透明膜とを、前記反射膜と半透明膜とを対向させて紫外線硬化型接着剤を介して貼り合わせる貼り合わせディスクの製造方法において、
前記１対の膜の内、一方の片面ディスクの膜外側に位置する外周マスキングエリアの内周を他方の膜外側に位置する外周マスキングエリアの内周に対して径方向外側に形成し、且つ、前記一方の片面ディスクの記録領域外周を前記他方の記録領域外周に対して径方向内側に形成するとともに、一方の片面ディスクの膜内側に位置する内周マスキングエリアの外周を他方の膜内側に位置する内周マスキングエリアの外周に対して径方向内側に形成し、且つ、前記一方の片面ディスクの記録領域内周を前記他方の記録領域内周に対して径方向外側に形成し、その後に前記一方のディスク側から紫外線を照射して貼り合わせることを特徴とする貼り合わせディスクの製造方法。
【発明の詳細な説明】
【０００１】
【発明の属する技術分野】
本発明は、オーディオ情報、ビデオ情報、或いは通常のデータの記録又は再生を光学的に行う光学式貼り合わせディスク及びその製造方法に関し、特に貼り合わせに紫外線を使用する貼り合わせディスク及びその製造方法に関する。
【０００２】
【従来の技術】
従来、記録領域を覆う反射膜がそれぞれ形成された一対の片面ディスクを、前記反射膜側に紫外線硬化型接着剤を用いて貼り合わせた貼り合わせディスク（いわゆる両面１層ディスク）及び記録領域を覆う反射膜が形成された片面ディスクと他の記録領域を覆う半透明膜とを、前記反射膜と半透明膜とを対向させて紫外線硬化型接着剤を介して貼り合わせた貼り合わせディスク（いわゆる片面２層ディスク）が知られている。
【０００３】
前記両面１層ディスク及び片面２層ディスクは何れも貼り合わせるディスクに反射膜又は半透明膜が形成されているが、これらの貼り合わせ接着剤として紫外線硬化型樹脂のようなエネルギー線硬化型樹脂を用いた場合、その照射を反射膜又は半透明膜を通して行うと、情報ピットの部分とピットのない平坦な部分の光透過率が異なるために樹脂の硬化速度がこの透過率によって変化し、早く硬化する部分と遅れて硬化する部分が生じてしまう。
【０００４】
全ての紫外線硬化型樹脂が硬化する際に少なからず収縮するため、前記のように硬化の早い部分と遅い部分が生じるとこの収縮によってその硬化速度分布がそのまま微細な凹凸模様として現れ、結果としてこれら光透過率が異なるピットの部分と平坦な部分の模様が浮き出てしまう。
【０００５】
この現象によって記録された情報が読み誤られることはなく、ピットが連続している通常の記録エリアではそのピットとピットのない部分が区別できない程に微細なため目視でこれらの模様の浮き出しを見出すことはできない。
また、反射膜のない透明部分に硬化の早い部分と遅い部分が生じても、浮き出しを見出すことはできない。
なお、本明細書中で、「浮き出し」とは、接着剤の硬化ムラが平坦な反射膜、即ちミラー部を通して目視されることをいうものとする。
【０００６】
【発明が解決しようとする課題】
しかしながら、ピット即ち記録の存在する半径位置はこれら両面１層ディスク及び片面２層ディスクの表裏のディスクでは必ずしも一致するとは限らない。また、表裏のディスクを貼り合わせる際には少なからず偏心を生じる。
【０００７】
さらにはこれらの膜、即ち、片面２層ディスクの場合には半透明膜及び反射膜、両面１層ディスクの場合には２つの反射膜、において、通常、内周部分と外周部分（概ね直径１１８ｍｍ以上）にこれら膜のないマスキング部分が施される。この膜のある部分と膜のないマスキング部分とでは明らかに光透過率が異なるため、このマスキング部分が一致しなければ光透過率による樹脂の収縮に伴う凹凸模様が明らかに見出されてしまう。
【０００８】
また、例えば、マスキング部分を一致するように設置できたとしても、成膜するに従ってマスキング手段にもこの反射膜又は半透明膜が付着し、通常このマスキング手段が太る方向となるため、ディスクのマスキングエリアは次第に広くなり（内周部分では径が大きくなり、外周部分では径が小さくなる）、製造しようとするディスク全てにおける一対の片面ディスクのマスキングエリアを一致させることはできない。
【０００９】
さらに、記録領域を覆う反射膜又は半透明膜において、ピットによる凹凸のある記録領域を覆う膜部分（ピット部）と、記録領域外の平坦な膜部分（ミラー部）とでも光透過率が異なる（次の表１参照）。
【００１０】
【表１】
0003668354.tif 000002
【００１１】
なお、この表１において、反射膜の数字は膜厚を示し、％表示は透過率を示す。表１に示すように、ミラー部とピット部との透過率のバラツキは、ピットによる光の回折とピット部分の反射膜厚の不均一等の理由によって、透過率の差を生じているものと考えられる。
【００１２】
そこで、本発明の目的は、紫外線硬化型接着剤の硬化収縮によりディスク面に模様が浮き出して目視可能となるのを防止した貼り合わせディスク及びその製造方法を提供することにある。
【００１３】
【課題を解決するための手段】
上記目的を達成するために請求項１の発明では、記録領域を覆う反射膜がそれぞれ形成された１対の片面ディスクを、前記反射膜側に紫外線硬化型接着剤を用いて貼り合わせた貼り合わせディスクにおいて、前記１対の片面ディスクの内、第１片面ディスクの反射膜の外側に位置する外周マスキングエリアの内周を第２片面ディスクの外周マスキングエリアの内周より径方向外側に形成したことを特徴としている。
【００１４】
この構成では、第１片面ディスク側から紫外線を照射して紫外線硬化型樹脂を硬化させることにより、反射膜と外周マスキングエリアとの境界に発生する硬化ムラが第２片面ディスクの反射膜のない部分に対応し、硬化ムラによる凹凸模様の浮き出しの発生を防止することができる。
【００１５】
また、請求項２の発明では、記録領域を覆う反射膜がそれぞれ形成された一対の片面ディスクを、前記反射膜側に紫外線硬化型接着剤を用いて貼り合わせた貼り合わせディスクにおいて、前記１対の片面ディスクの内、第１片面ディスクの記録領域外周を第２片面ディスクの記録領域外周より径方向内側に形成したことを特徴としている。
【００１６】
この構成では、第１片面ディスク側から紫外線を照射して紫外線硬化型樹脂を硬化させることにより、反射膜の記録領域に対応する部分と平坦膜部分との境界に発生する硬化ムラによる凹凸模様が第２片面ディスクの記録領域部分に対応し、硬化ムラによる凹凸模様の浮き出しの発生を防止することができる。
【００１７】
また、請求項３の発明では、記録領域を覆う反射膜がそれぞれ形成された一対の片面ディスクを、前記反射膜側に紫外線硬化型接着剤を用いて貼り合わせた貼り合わせディスクにおいて、前記１対の片面ディスクの内、第１片面ディスクの反射膜の外側に位置する外周マスキングエリアの内周を第２片面ディスクの外周マスキングエリアの内周より径方向外側に形成し、且つ、第１片面ディスクの記録領域外周を第２片面ディスクの記録領域外周より径方向内側に形成したことを特徴としている。
【００１８】
この構成では、第１片面ディスク側から紫外線を照射して紫外線硬化型樹脂を硬化させることにより、反射膜と外周マスキングエリアとの境界に発生する硬化ムラが第２片面ディスクの反射膜のない部分に対応し、硬化ムラによる凹凸模様の浮き出しの発生を防止することができるとともに、反射膜の記録領域に対応する部分と平坦膜部分との境界に発生する硬化ムラによる凹凸模様が第２片面ディスクの記録領域部分に対応し、硬化ムラによる凹凸模様の浮き出しの発生を防止することができる。
【００１９】
また、請求項４の発明では、記録領域を覆う反射膜がそれぞれ形成された一対の片面ディスクを、前記反射膜側に紫外線硬化型接着剤を用いて貼り合わせる貼り合わせディスクの製造方法において、前記１対の片面ディスクの内、第１片面ディスクの反射膜の外側に位置する外周マスキングエリアの内周を第２片面ディスクの外周マスキングエリアの内周より径方向外側に形成するとともに、第１片面ディスクの記録領域外周を第２片面ディスクの記録領域外周より径方向内側に形成し、その後に前記第１片面ディスク側から紫外線を照射して貼り合わせることを特徴としている。
【００２０】
この構成では、反射膜と外周マスキングエリアとの境界に発生する硬化ムラが第２片面ディスクの反射膜のない部分に対応し、硬化ムラによる凹凸模様の浮き出しの発生を防止することができるとともに、反射膜の記録領域に対応する部分と平坦膜部分との境界に発生する硬化ムラによる凹凸模様が第２片面ディスクの記録領域部分に対応し、硬化ムラによる凹凸模様の浮き出しの発生を防止することができる。
【００２１】
また、請求項５の発明では、記録領域を覆う反射膜が形成された片面ディスクと他の記録領域を覆う半透明膜が形成された片面ディスクとを、前記１対の膜を対向させて紫外線硬化型接着剤を介して貼り合わせた貼り合わせディスクにおいて、前記１対の膜の内、一方の片面ディスクの膜外側に位置する外周マスキングエリアの内周を他方の膜外側に位置する外周マスキングエリアの内周に対して径方向外側に形成したことを特徴としている。
【００２２】
この構成では、一方の片面ディスク側から紫外線を照射して紫外線硬化型樹脂を硬化させることにより、反射膜又は半透明膜と外周マスキングエリアとの境界に発生する硬化ムラが他方の片面ディスクの反射膜又は半透明膜のない部分に対応し、硬化ムラによる凹凸模様の浮き出しの発生を防止することができる。
【００２３】
また、請求項６の発明では、記録領域を覆う反射膜が形成された片面ディスクと他の記録領域を覆う半透明膜が形成された片面ディスクとを、前記１対の膜を対向させて紫外線硬化型接着剤を介して貼り合わせた貼り合わせディスクにおいて、前記１対の片面ディスクの内、一方の片面ディスクの記録領域外周を前記他方の記録領域外周に対して径方向内側に形成したことを特徴としている。
【００２４】
この構成では、一方の片面ディスク側から紫外線を照射して紫外線硬化型樹脂を硬化させることにより、反射膜又は半透明膜の記録領域に対応する部分と平坦膜部分との境界に発生する硬化ムラによる凹凸模様が他方の片面ディスクの記録領域部分に対応し、硬化ムラによる凹凸模様の浮き出しの発生を防止することができる。
【００２５】
また、請求項７の発明では、記録領域を覆う反射膜が形成された片面ディスクと他の記録領域を覆う半透明膜が形成された片面ディスクとを、前記１対の膜を対向させて紫外線硬化型接着剤を介して貼り合わせた貼り合わせディスクにおいて、前記１対の膜の内、一方の片面ディスクの膜外側に位置する外周マスキングエリアの内周を他方の膜外側に位置する外周マスキングエリアの内周に対して径方向外側に形成し、且つ、前記一方の片面ディスクの記録領域外周を前記他方の記録領域外周に対して径方向内側に形成したことを特徴としている。
【００２６】
この構成では、一方の片面ディスク側から紫外線を照射して紫外線硬化型樹脂を硬化させることにより、反射膜又は半透明膜と外周マスキングエリアとの境界に発生する硬化ムラが他方の片面ディスクの反射膜又は半透明膜のない部分に対応し、硬化ムラによる凹凸模様の浮き出しの発生を防止することができるとともに、反射膜又は半透明膜の記録領域に対応する部分と平坦膜部分との境界に発生する硬化ムラによる凹凸模様が他方の片面ディスクの記録領域部分に対応し、硬化ムラによる凹凸模様の浮き出しの発生を防止することができる。
【００２７】
また、請求項８の発明では、記録領域を覆う反射膜が形成された片面ディスクと他の記録領域を覆う半透明膜とを、前記反射膜と半透明膜とを対向させて紫外線硬化型接着剤を介して貼り合わせる貼り合わせディスクの製造方法において、前記１対の膜の内、一方の片面ディスクの膜外側に位置する外周マスキングエリアの内周を他方の膜外側に位置する外周マスキングエリアの内周に対して径方向外側に形成するとともに、前記一方の片面ディスクの記録領域外周を前記他方の記録領域外周に対して径方向内側に形成し、前記一方のディスク側から紫外線を照射して貼り合わせることを特徴としている。
【００２８】
この構成では、反射膜又は半透明膜と外周マスキングエリアとの境界に発生する硬化ムラが他方の片面ディスクの反射膜又は半透明膜のない部分に対応し、硬化ムラによる凹凸模様の浮き出しの発生を防止することができるとともに、反射膜又は半透明膜の記録領域に対応する部分と平坦膜部分との境界に発生する硬化ムラによる凹凸模様が他方の片面ディスクの記録領域部分に対応し、硬化ムラによる凹凸模様の浮き出しの発生を防止することができる。
【００２９】
また、請求項９の発明では、記録領域を覆う反射膜がそれぞれ形成された１対の片面ディスクを、前記反射膜側に紫外線硬化型接着剤を用いて貼り合わせた貼り合わせディスクにおいて、前記１対の片面ディスクの内、第１片面ディスクの反射膜の内側に位置する内周マスキングエリアの外周を第２片面ディスクの内周マスキングエリアの外周より径方向内側に形成したことを特徴としている。
【００３０】
この構成では、第１片面ディスク側から紫外線を照射して紫外線硬化型樹脂を硬化させることにより、反射膜と内周マスキングエリアとの境界に発生する硬化ムラが第２片面ディスクの反射膜のない部分に対応し、硬化ムラによる凹凸模様の浮き出しの発生を防止することができる。
【００３１】
また、請求項１０の発明では、記録領域を覆う反射膜がそれぞれ形成された一対の片面ディスクを、前記反射膜側に紫外線硬化型接着剤を用いて貼り合わせた貼り合わせディスクにおいて、前記１対の片面ディスクの内、第１片面ディスクの記録領域内周を第２片面ディスクの記録領域内周より径方向外側に形成したことを特徴としている。
【００３２】
この構成では、反射膜の記録領域に対応する部分と平坦膜部分との境界に発生する硬化ムラが第２片面ディスクの記録領域部分に対応し、硬化ムラによる凹凸模様の浮き出しの発生を防止することができる。
【００３３】
また、請求項１１の発明では、記録領域を覆う反射膜がそれぞれ形成された一対の片面ディスクを、前記反射膜側に紫外線硬化型接着剤を用いて貼り合わせた貼り合わせディスクにおいて、前記１対の片面ディスクの内、第１片面ディスクの反射膜の内側に位置する内周マスキングエリアの外周を第２片面ディスクの内周マスキングエリアの外周より径方向内側に形成し、且つ、第１片面ディスクの記録領域内周を第２片面ディスクの記録領域内周より径方向外側に形成したことを特徴としている。
【００３４】
この構成では、１片面ディスク側から紫外線を照射して紫外線硬化型樹脂を硬化させることにより、反射膜と内周マスキングエリアとの境界に発生する硬化ムラが第２片面ディスクの反射膜のない部分に対応し、硬化ムラによる凹凸模様の浮き出しの発生を防止することができるとともに、反射膜の記録領域に対応する部分と平坦膜部分との境界に発生する硬化ムラが第２片面ディスクの記録領域部分に対応し、硬化ムラによる凹凸模様の浮き出しの発生を防止することができる。
【００３５】
また、請求項１２の発明では、記録領域を覆う反射膜がそれぞれ形成された一対の片面ディスクを、前記反射膜側に紫外線硬化型接着剤を用いて貼り合わせる貼り合わせディスクの製造方法において、前記１対の片面ディスクの内、第１片面ディスクの反射膜の内側に位置する内周マスキングエリアの外周を第２片面ディスクの内周マスキングエリアの外周より径方向内側に形成するとともに、第１片面ディスクの記録領域内周を第２片面ディスクの記録領域内周より径方向外側に形成し、その後に前記第１片面ディスク側から紫外線を照射して貼り合わせることを特徴としている。
【００３６】
この構成では、反射膜と内周マスキングエリアとの境界に発生する硬化ムラが第２片面ディスクの反射膜のない部分に対応し、硬化ムラによる凹凸模様の浮き出しの発生を防止することができるとともに、反射膜の記録領域に対応する部分と平坦膜部分との境界に発生する硬化ムラが第２片面ディスクの記録領域部分に対応し、硬化ムラによる凹凸模様の浮き出しの発生を防止することができる。
【００３７】
また、請求項１３の発明では、記録領域を覆う反射膜が形成された片面ディスクと他の記録領域を覆う半透明膜が形成された片面ディスクとを、前記１対の膜を対向させて紫外線硬化型接着剤を介して貼り合わせた貼り合わせディスクにおいて、前記１対の膜の内、一方の片面ディスクの膜内側に位置する内周マスキングエリアの外周を他方の膜内側に位置する内周マスキングエリアの外周に対して径方向内側に形成したことを特徴としている。
【００３８】
この構成では、一方の片面ディスク側から紫外線を照射して紫外線硬化型樹脂を硬化させることにより、反射膜又は半透明膜と内周マスキングエリアとの境界に発生する硬化ムラが他方の片面ディスクの反射膜又は半透明膜のない部分に対応し、硬化ムラによる凹凸模様の浮き出しの発生を防止することができる。
【００３９】
また、請求項１４の発明では、記録領域を覆う反射膜が形成された片面ディスクと他の記録領域を覆う半透明膜が形成された片面ディスクとを、前記１対の膜を対向させて紫外線硬化型接着剤を介して貼り合わせた貼り合わせディスクにおいて、前記１対の片面ディスクの内、一方の片面ディスクの記録領域内周を前記他方の記録領域内周に対して径方向外側に形成したことを特徴としている。
【００４０】
この構成では、反射膜又は半透明膜の記録領域に対応する部分と平坦膜部分との境界に発生する硬化ムラが他方の片面ディスクの記録領域部分に対応し、硬化ムラによる凹凸模様の浮き出しの発生を防止することができる。
【００４１】
また、請求項１５の発明では、記録領域を覆う反射膜が形成された片面ディスクと他の記録領域を覆う半透明膜が形成された片面ディスクとを、前記１対の膜を対向させて紫外線硬化型接着剤を介して貼り合わせた貼り合わせディスクにおいて、前記１対の膜の内、一方の片面ディスクの膜内側に位置する内周マスキングエリアの外周を他方の膜内側に位置する内周マスキングエリアの外周に対して径方向内側に形成し、且つ、前記一方の片面ディスクの記録領域内周を前記他方の記録領域内周に対して径方向外側に形成したことを特徴としている。
【００４２】
この構成では、一方の片面ディスク側から紫外線を照射して紫外線硬化型樹脂を硬化させることにより、反射膜又は半透明膜と内周マスキングエリアとの境界に発生する硬化ムラが他方の片面ディスクの反射膜又は半透明膜のない部分に対応し、硬化ムラによる凹凸模様の浮き出しの発生を防止することができるとともに、反射膜又は半透明膜の記録領域に対応する部分と平坦膜部分との境界に発生する硬化ムラが他方の片面ディスクの記録領域部分に対応し、硬化ムラによる凹凸模様の浮き出しの発生を防止することができる。
【００４３】
また、請求項１６の発明では、記録領域を覆う反射膜が形成された片面ディスクと他の記録領域を覆う半透明膜とを、前記反射膜と半透明膜とを対向させて紫外線硬化型接着剤を介して貼り合わせる貼り合わせディスクの製造方法において、前記１対の膜の内、一方の片面ディスクの膜内側に位置する内周マスキングエリアの外周を他方の膜内側に位置する内周マスキングエリアの外周に対して径方向内側に形成するとともに、前記一方の片面ディスクの記録領域内周を前記他方の記録領域内周に対して径方向外側に形成し、その後に前記一方のディスク側から紫外線を照射して貼り合わせることを特徴としている。
【００４４】
この構成では、反射膜又は半透明膜と内周マスキングエリアとの境界に発生する硬化ムラが他方の片面ディスクの反射膜又は半透明膜のない部分に対応し、硬化ムラによる凹凸模様の浮き出しの発生を防止することができるとともに、反射膜又は半透明膜の記録領域に対応する部分と平坦膜部分との境界に発生する硬化ムラが他方の片面ディスクの記録領域部分に対応し、硬化ムラによる凹凸模様の浮き出しの発生を防止することができる。
【００４５】
また、請求項１７の発明では、記録領域を覆う反射膜がそれぞれ形成された１対の片面ディスクを、前記反射膜側に紫外線硬化型接着剤を用いて貼り合わせた貼り合わせディスクにおいて、前記１対の片面ディスクの内、第１片面ディスクの反射膜の外側に位置する外周マスキングエリアの内周を第２片面ディスクの外周マスキングエリアの内周より径方向外側に形成し、且つ、第１片面ディスクの反射膜の内側に位置する内周マスキングエリアの外周を第２片面ディスクの内周マスキングエリアの外周より径方向内側に形成したことを特徴としている。
【００４６】
この構成では、第１片面ディスク側から紫外線を照射して紫外線硬化型樹脂を硬化させることにより、反射膜と外周マスキングエリアとの境界に発生する硬化ムラが第２片面ディスクの反射膜のない部分に対応し、硬化ムラによる凹凸模様の浮き出しの発生を防止することができるとともに、第１片面ディスク側から紫外線を照射して紫外線硬化型樹脂を硬化させることにより、反射膜と内周マスキングエリアとの境界に発生する硬化ムラが第２片面ディスクの反射膜のない部分に対応し、硬化ムラによる凹凸模様の浮き出しの発生を防止することができる。
【００４７】
また、請求項１８の発明では、記録領域を覆う反射膜がそれぞれ形成された一対の片面ディスクを、前記反射膜側に紫外線硬化型接着剤を用いて貼り合わせた貼り合わせディスクにおいて、前記１対の片面ディスクの内、第１片面ディスクの記録領域外周を第２片面ディスクの記録領域外周より径方向内側に形成し、且つ、第１片面ディスクの記録領域内周を第２片面ディスクの記録領域内周より径方向外側に形成したことを特徴としている。
【００４８】
この構成では、第１片面ディスク側から紫外線を照射して紫外線硬化型樹脂を硬化させることにより、反射膜の記録領域に対応する部分と平坦膜部分との境界に発生する硬化ムラによる凹凸模様が第２片面ディスクの記録領域部分に対応し、硬化ムラによる凹凸模様の浮き出しの発生を防止することができるとともに、反射膜の記録領域に対応する部分と平坦膜部分との境界に発生する硬化ムラが第２片面ディスクの記録領域部分に対応し、硬化ムラによる凹凸模様の浮き出しの発生を防止することができる。
【００４９】
また、請求項１９の発明では、記録領域を覆う反射膜がそれぞれ形成された一対の片面ディスクを、前記反射膜側に紫外線硬化型接着剤を用いて貼り合わせた貼り合わせディスクにおいて、前記１対の片面ディスクの内、第１片面ディスクの反射膜の外側に位置する外周マスキングエリアの内周を第２片面ディスクの外周マスキングエリアの内周より径方向外側に形成し、且つ、第１片面ディスクの記録領域外周を第２片面ディスクの記録領域外周より径方向内側に形成するとともに、前記１対の片面ディスクの内、第１片面ディスクの反射膜の内側に位置する内周マスキングエリアの外周を第２片面ディスクの内周マスキングエリアの外周より径方向内側に形成し、且つ、第１片面ディスクの記録領域内周を第２片面ディスクの記録領域内周より径方向外側に形成したことを特徴としている。
【００５０】
この構成では、第１片面ディスク側から紫外線を照射して紫外線硬化型樹脂を硬化させることにより、反射膜と外周マスキングエリアとの境界に発生する硬化ムラが第２片面ディスクの反射膜のない部分に対応し、硬化ムラによる凹凸模様の浮き出しの発生を防止することができるとともに、反射膜と内周マスキングエリアとの境界に発生する硬化ムラが第２片面ディスクの反射膜のない部分に対応し、硬化ムラによる凹凸模様の浮き出しの発生を防止することができる。
さらに、第１片面ディスク側から紫外線を照射して紫外線硬化型樹脂を硬化させることにより、反射膜の記録領域に対応する部分と平坦膜部分との境界に発生する硬化ムラによる凹凸模様が第２片面ディスクの記録領域部分に対応し、硬化ムラによる凹凸模様の浮き出しの発生を防止することができるとともに、反射膜の記録領域に対応する部分と平坦膜部分との境界に発生する硬化ムラが第２片面ディスクの記録領域部分に対応し、硬化ムラによる凹凸模様の浮き出しの発生を防止することができる。
【００５１】
また、請求項２０の発明では、記録領域を覆う反射膜がそれぞれ形成された一対の片面ディスクを、前記反射膜側に紫外線硬化型接着剤を用いて貼り合わせる貼り合わせディスクの製造方法において、前記１対の片面ディスクの内、第１片面ディスクの反射膜の外側に位置する外周マスキングエリアの内周を第２片面ディスクの外周マスキングエリアの内周より径方向外側に形成し、且つ、第１片面ディスクの記録領域外周を第２片面ディスクの記録領域外周より径方向内側に形成するとともに、前記１対の片面ディスクの内、第１片面ディスクの反射膜の内側に位置する内周マスキングエリアの外周を第２片面ディスクの内周マスキングエリアの外周より径方向内側に形成し、且つ、第１片面ディスクの記録領域内周を第２片面ディスクの記録領域内周より径方向外側に形成し、その後に前記第１片面ディスク側から紫外線を照射して貼り合わせることを特徴としている。
【００５２】
この構成では、反射膜と外周マスキングエリアとの境界に発生する硬化ムラが第２片面ディスクの反射膜のない部分に対応し、硬化ムラによる凹凸模様の浮き出しの発生を防止することができるとともに、反射膜と内周マスキングエリアとの境界に発生する硬化ムラが第２片面ディスクの反射膜のない部分に対応し、硬化ムラによる凹凸模様の浮き出しの発生を防止することができる。さらに、反射膜の記録領域に対応する部分と平坦膜部分との境界に発生する硬化ムラによる凹凸模様が第２片面ディスクの記録領域部分に対応し、硬化ムラによる凹凸模様の浮き出しの発生を防止することができるとともに、反射膜の記録領域に対応する部分と平坦膜部分との境界に発生する硬化ムラが第２片面ディスクの記録領域部分に対応し、硬化ムラによる凹凸模様の浮き出しの発生を防止することができる。
【００５３】
また、請求項２１の発明では、記録領域を覆う反射膜が形成された片面ディスクと他の記録領域を覆う半透明膜が形成された片面ディスクとを、前記１対の膜を対向させて紫外線硬化型接着剤を介して貼り合わせた貼り合わせディスクにおいて、前記１対の膜の内、一方の片面ディスクの膜外側に位置する外周マスキングエリアの内周を他方の膜外側に位置する外周マスキングエリアの内周に対して径方向外側に形成し、且つ、一方の片面ディスクの膜内側に位置する内周マスキングエリアの外周を他方の膜内側に位置する内周マスキングエリアの外周に対して径方向内側に形成したことを特徴としている。
【００５４】
この構成では、一方の片面ディスク側から紫外線を照射して紫外線硬化型樹脂を硬化させることにより、反射膜又は半透明膜と外周マスキングエリアとの境界に発生する硬化ムラが他方の片面ディスクの反射膜又は半透明膜のない部分に対応し、硬化ムラによる凹凸模様の浮き出しの発生を防止することができるとともに、一方の片面ディスク側から紫外線を照射して紫外線硬化型樹脂を硬化させることにより、反射膜又は半透明膜と内周マスキングエリアとの境界に発生する硬化ムラが他方の片面ディスクの反射膜又は半透明膜のない部分に対応し、硬化ムラによる凹凸模様の浮き出しの発生を防止することができる。
【００５５】
また、請求項２２の発明では、記録領域を覆う反射膜が形成された片面ディスクと他の記録領域を覆う半透明膜が形成された片面ディスクとを、前記１対の膜を対向させて紫外線硬化型接着剤を介して貼り合わせた貼り合わせディスクにおいて、前記１対の片面ディスクの内、一方の片面ディスクの記録領域外周を前記他方の記録領域外周に対して径方向内側に形成し、且つ、前記一方の片面ディスクの記録領域内周を前記他方の記録領域内周に対して径方向外側に形成したことを特徴としている。
【００５６】
この構成では、一方の片面ディスク側から紫外線を照射して紫外線硬化型樹脂を硬化させることにより、反射膜又は半透明膜の記録領域に対応する部分と平坦膜部分との境界に発生する硬化ムラによる凹凸模様が他方の片面ディスクの記録領域部分に対応し、硬化ムラによる凹凸模様の浮き出しの発生を防止することができるとともに、反射膜又は半透明膜の記録領域に対応する部分と平坦膜部分との境界に発生する硬化ムラが他方の片面ディスクの記録領域部分に対応し、硬化ムラによる凹凸模様の浮き出しの発生を防止することができる。
【００５７】
また、請求項２３の発明では、記録領域を覆う反射膜が形成された片面ディスクと他の記録領域を覆う半透明膜が形成された片面ディスクとを、前記１対の膜を対向させて紫外線硬化型接着剤を介して貼り合わせた貼り合わせディスクにおいて、前記１対の膜の内、一方の片面ディスクの膜外側に位置する外周マスキングエリアの内周を他方の膜外側に位置する外周マスキングエリアの内周に対して径方向外側に形成し、且つ、前記一方の片面ディスクの記録領域外周を前記他方の記録領域外周に対して径方向内側に形成するとともに、一方の片面ディスクの膜内側に位置する内周マスキングエリアの外周を他方の膜内側に位置する内周マスキングエリアの外周に対して径方向内側に形成し、且つ、前記一方の片面ディスクの記録領域内周を前記他方の記録領域内周に対して径方向外側に形成したことを特徴としている。
【００５８】
この構成では、一方の片面ディスク側から紫外線を照射して紫外線硬化型樹脂を硬化させることにより、反射膜又は半透明膜と外周マスキングエリアとの境界に発生する硬化ムラが他方の片面ディスクの反射膜又は半透明膜のない部分に対応し、硬化ムラによる凹凸模様の浮き出しの発生を防止することができるとともに、反射膜又は半透明膜と内周マスキングエリアとの境界に発生する硬化ムラが他方の片面ディスクの反射膜又は半透明膜のない部分に対応し、硬化ムラによる凹凸模様の浮き出しの発生を防止することができる。さらに、一方の片面ディスク側から紫外線を照射して紫外線硬化型樹脂を硬化させることにより、反射膜又は半透明膜の記録領域に対応する部分と平坦膜部分との境界に発生する硬化ムラによる凹凸模様が他方の片面ディスクの記録領域部分に対応し、硬化ムラによる凹凸模様の浮き出しの発生を防止することができるとともに、反射膜又は半透明膜の記録領域に対応する部分と平坦膜部分との境界に発生する硬化ムラが他方の片面ディスクの記録領域部分に対応し、硬化ムラによる凹凸模様の浮き出しの発生を防止することができる。
【００５９】
また、請求項２４の発明では、記録領域を覆う反射膜が形成された片面ディスクと他の記録領域を覆う半透明膜とを、前記反射膜と半透明膜とを対向させて紫外線硬化型接着剤を介して貼り合わせる貼り合わせディスクの製造方法において、前記１対の膜の内、一方の片面ディスクの膜外側に位置する外周マスキングエリアの内周を他方の膜外側に位置する外周マスキングエリアの内周に対して径方向外側に形成し、且つ、前記一方の片面ディスクの記録領域外周を前記他方の記録領域外周に対して径方向内側に形成するとともに、一方の片面ディスクの膜内側に位置する内周マスキングエリアの外周を他方の膜内側に位置する内周マスキングエリアの外周に対して径方向内側に形成し、且つ、前記一方の片面ディスクの記録領域内周を前記他方の記録領域内周に対して径方向外側に形成し、その後に前記一方のディスク側から紫外線を照射して貼り合わせることを特徴としている。
【００６０】
この構成では、反射膜又は半透明膜と外周マスキングエリアとの境界に発生する硬化ムラが他方の片面ディスクの反射膜又は半透明膜のない部分に対応し、硬化ムラによる凹凸模様の浮き出しの発生を防止することができるとともに、反射膜又は半透明膜と内周マスキングエリアとの境界に発生する硬化ムラが他方の片面ディスクの反射膜又は半透明膜のない部分に対応し、硬化ムラによる凹凸模様の浮き出しの発生を防止することができる。さらに、反射膜又は半透明膜の記録領域に対応する部分と平坦膜部分との境界に発生する硬化ムラによる凹凸模様が他方の片面ディスクの記録領域部分に対応し、硬化ムラによる凹凸模様の浮き出しの発生を防止することができるとともに、反射膜又は半透明膜の記録領域に対応する部分と平坦膜部分との境界に発生する硬化ムラが他方の片面ディスクの記録領域部分に対応し、硬化ムラによる凹凸模様の浮き出しの発生を防止することができる。
【００６１】
【発明の実施の形態】
以下、本発明の実施の形態を図面を参照して説明する。
図１は、本発明の実施形態に係わる貼り合わせディスクの半載断面図、図２は、本発明の実施形態に係わる貼り合わせディスクの製造工程を示す図である。
【００６２】
図１に示すようように、本発明の実施形態に係わる貼り合わせディスクは、記録領域１５、２５を覆う反射膜１８、２８がそれぞれ透明基板１１、２１に形成された１対の片面ディスク１、２を、反射膜１８、２８側に紫外線硬化型接着剤３を用いて貼り合わせた貼り合わせディスクである。
【００６３】
即ち、第１片面ディスク１は、オーディオ情報、ビデオ情報、或いは通常のデータ等がピットＰとして記録された記録領域１５と、この記録領域１５を覆う反射膜１８とを備えている。反射膜１８は、リング状の内周マスキングエリア１７とリング状の外周マスキングエリア１３との間にリング状に形成され、記録領域１５の内周側及び外周側には平坦な平坦膜部分１６、１４が形成されている。
【００６４】
また、第２片面ディスク２は、オーディオ情報、ビデオ情報、或いは通常のデータ等がピットＰとして記録された記録領域２５と、この記録領域２５を覆う反射膜２８とを備えている。反射膜２８は、内周マスキングエリア２７と外周マスキングエリア２３との間にリング形状に形成され、記録領域２５の内周側及び外周側には平坦な平坦膜部分２６、２４が形成されている。
【００６５】
前記１対の片面ディスク１、２の内、第１片面ディスク１の反射膜１８の外側に位置する外周マスキングエリア１３の内周は、第２片面ディスク２の外周マスキングエリア２３の内周より径方向外側に形成されている。
【００６６】
さらに、第１片面ディスク１の記録領域１５外周は、第２片面ディスク２の記録領域２５外周より径方向内側に形成されている。
【００６７】
また、前記１対の片面ディスク１１１、２の内、第１片面ディスク１の反射膜１８の内側に位置する内周マスキングエリア１７の外周は、第２片面ディスク２の内周マスキングエリア２７の外周より径方向内側に形成されている。
【００６８】
さらに、第１片面ディスク１の記録領域１５内周は、第２片面ディスク２の記録領域２５内周より径方向外側に形成されている。
【００６９】
以上の第１片面ディスク１及び第２片面ディスク２を貼り合わせるには、図２（Ａ）に示すように、先ず、第１片面ディスク１の反射膜１８側を下向きに配置し、第２片面ディスク２の反射膜２８側を上向きに配置して、反射膜１８、２８同士を対向させ、第２片面ディスク２の中央よりに紫外線硬化型接着剤３をリング状に塗布する。なお、第２片面ディスク２の反射膜２８側を下向きに配置し、第１片面ディスク１の反射膜１８側を上向きに配置して、反射膜２８、１８同士を対向させてから貼り合わせてもよい。
【００７０】
次に、図２（Ｂ）に示すように、紫外線硬化型接着剤３がリング状に塗布された第２片面ディスク２上に第１片面ディスク１を載置してモータ４の回転により紫外線硬化型接着剤３を振り切る。
【００７１】
次に、図２（Ｃ）に示すように、第１片面ディスク１と第２片面ディスク２とを、第１片面ディスク１側から紫外線ランプ５により紫外線を照射することにより紫外線硬化型接着剤３を硬化させて貼り合わせて、貼り合わせディスクを作製する。
【００７２】
このように、第１片面ディスク１の反射膜１８の外側に位置する外周マスキングエリア１３の内周を、第２片面ディスク２の外周マスキングエリア２３の内周より径方向外側に形成したので、図１に示すように、第１片面ディスク１側から紫外線を照射して紫外線硬化型樹脂３を硬化させることにより、反射膜１８と外周マスキングエリア１３との境界に発生する硬化ムラＭが第２片面ディスク２の反射膜のない部分（即ち、外周マスキングエリア２３）に対応し、硬化ムラＭによる凹凸模様の浮き出しの発生を防止することができる。即ち、硬化ムラＭの凹凸模様が反射膜２８の平坦部分２４上に目視Ｅされることによる浮き出しを防止することができる。
【００７３】
また、第１片面ディスク１の記録領域１５外周を、第２片面ディスク２の記録領域２５外周より径方向内側に形成したので、第１片面ディスク１側から紫外線を照射して紫外線硬化型樹脂３を硬化させることにより、反射膜１８の記録領域１５に対応する部分と平坦膜部分１４との境界に発生する硬化ムラＭによる凹凸模様が第２片面ディスク２の記録領域２５部分に対応し、硬化ムラＭによる凹凸模様の浮き出しの発生を防止することができる。即ち、硬化ムラＭによる凹凸模様が反射膜２８の平坦部分２４により目視Ｅされることによる浮き出しを防止することができる。
【００７４】
また、第１片面ディスク１の反射膜１８の内側に位置する内周マスキングエリア１７の外周を、第２片面ディスク２の内周マスキングエリア２７の外周より径方向内側に形成したので、第１片面ディスク１側から紫外線を照射して紫外線硬化型樹脂３を硬化させることにより、反射膜１８と内周マスキングエリア１７との境界に発生する硬化ムラＭが第２片面ディスク２の反射膜２８のない部分（即ち、内周マスキングエリア２７）に対応し、硬化ムラＭによる凹凸模様の浮き出しの発生を防止することができる。即ち、硬化ムラＭによる凹凸模様が反射膜２８の平坦部分２６により目視Ｅされることによる浮き出しを防止することができる。
【００７５】
また、第１片面ディスク１の記録領域１５内周を、第２片面ディスク２の記録領域２５内周より径方向外側に形成したので、反射膜１８の記録領域１５に対応する部分と平坦膜１６部分との境界に発生する硬化ムラＭが第２片面ディスク２の記録領域２５部分に対応し、硬化ムラＭによる凹凸模様の浮き出しの発生を防止することができる。即ち、硬化ムラＭによる凹凸模様が反射膜２８の平坦部分２６により目視Ｅされることによる浮き出しを防止することができる。
【００７６】
次に、貼り合わせるディスクやマスキングの偏心や径の変化量等について次表にまとめた表２を示す。
【００７７】
【表２】
0003668354.tif 000003
【００７８】
これらの内、貼り合わせ装置のディスク芯出し治具にφ１５．０３のものを用いて▲１▼〜▲４▼の状態でディスクを生産した場合、貼り合わせディスクのマスキングのズレ量（偏心）は最大で３００μｍ（半径で）にも達した。
【００７９】
そこで、上記実施形態では、照射する面の反射膜エリアを照射しない面に比べ内周外周とも概ね半径で０．３ｍｍ程広げる。即ち、照射する面側の第１片面ディスク１のマスキング位置を外径では０．３ｍｍ程大きくし、内径では０．３ｍｍ程小さくする。これにより反射膜と透明基板の光透過率の大きな差による樹脂の収縮に伴う凹凸模様は反対の面の透明なマスキングエリアに埋もれてしまい見出すことはできなくなる。
【００８０】
以上では、第１片面ディスク１及び第２片面ディスク２ともに反射膜が形成されている両面１層ディスクの場合について説明したが、一方の反射膜が半透明膜の片面２層ディスクの場合も同様である。この場合は両面１層ディスクの場合の一方の反射膜が半透明膜となる。
【００８１】
【発明の効果】
以上の説明から明らかな如く本発明によれば、硬化ムラの凹凸模様が反射膜の平坦部分上に浮き出すことにより、目視されることを防止することができる。
また、硬化ムラの凹凸模様が半透明膜の平坦部分上に浮き出すことにより、目視されることを防止することができる。
【図面の簡単な説明】
【図１】本発明の実施形態に係わる貼り合わせディスクの半載断面図である。
【図２】本発明の実施形態に係わる貼り合わせディスクの製造工程を示す図である。
【符号の説明】
１      第１片面ディスク
２      第２片面ディスク
３      紫外線硬化型接着剤
５      紫外線ランプ
１３      外周マスキングエリア
１５      記録領域
１７      内周マスキングエリア
１８      反射膜
２３      外周マスキングエリア
２５      記録領域
２７      内周マスキングエリア
２８      反射膜
【図１】
0003668354.tif 000004
【図２】
0003668354.tif 000005